(57)【要約】【課題】可搬型の情報処理装置における外部記憶装置のデタッチャブル機能に適合しつつ外部記憶装置の耐振動性、耐衝撃性を高めることができる緩衝部材の提供。【解決手段】摺動保持部１３を格納スロット４の係合溝１５とスライド係合させれば、硬質材どうしの滑り性のあるスライド係合によってＨＤＤ５を円滑にスライド移動させることができ、ＨＤＤ５のスライドによる着脱を容易に行える。そして緩衝部１２の保持面部１２ｄが、ＨＤＤ５の側端部６ａに嵌り込むため、情報処理装置１が振動や衝撃を強く受けたとしてもＨＤＤ５を三次元方向で弾性支持することができ、ＨＤＤ５の耐振動性、耐衝撃性を大きく高めることができる。【選択図】図３
2009223983.tif 000002
【特許請求の範囲】
【請求項１】
情報処理装置に外部記憶装置を差込ませて収容する格納スロットを備えており、この格納スロットに外部記憶装置をスライド移動させて装着するために、格納スロットに設ける緩衝部材であって、
格納スロットへの差込方向に沿う外部記憶装置の側端部とスライド係合しつつ該側端部を保持する保持面部を有する硬質材でなる摺動保持部と、
外部記憶装置を保持する摺動保持部との固着部を有し、格納スロットの内部で外部記憶装置及びそれを保持する摺動保持部を弾性支持するゴム状弾性体でなる緩衝部と、
を備える緩衝部材。
【請求項２】
外部記憶装置の差込方向前端部に端子が設けられ、格納スロットの内部に外部記憶装置の端子と接続する端子が突出しており、
摺動保持部又は緩衝部に、前記端子どうしが接触する前に外部記憶装置と接触して、外部記憶装置のスライド移動を減速させるスライド抑制手段を有する
請求項１記載の緩衝部材。
【請求項３】
スライド抑制手段が、緩衝部材の奥側端部に突設されており、先端面が摺動保持部を貫通し保持面部に露出し、外部記憶装置の側端部に対して弾性変形しつつ摺動接触するスライド緩衝突起である請求項２記載の緩衝部材。
【請求項４】
スライド緩衝突起が保持面部から突出する請求項３記載の緩衝部材。
【請求項５】
スライド抑制手段が、摺動保持部の奥側端部に突設されており、スライド移動する外部記憶装置の差込方向前端部が突き当たりつつ撓み変形する硬質緩衝ばね片である請求項２記載の緩衝部材。
【請求項６】
保持面部に、外部記憶装置の側端部に対して圧接することで、該側端部のスライド移動を許容する保持面部と該側端部との隙間を解消し、外部記憶装置を格納スロットに対して固定的に保持する固定突部を有する請求項１〜請求項５何れか１項記載の緩衝部材。
【請求項７】
情報処理装置に外部記憶装置を差込ませて収容する格納スロットを備えており、この格納スロットに外部記憶装置をスライド移動させて装着するために、外部記憶装置に設ける緩衝部材であって、
格納スロットへの差込方向に沿う外部記憶装置の側端部をその長さ方向に亘って保持する保持面部を有するゴム状弾性体でなる緩衝部と、
外部記憶装置を保持する緩衝部との固着部を有し、格納スロットに該差込方向に沿って設けられた長溝状又は長突起状のスライド受け部とスライド係合しつつ、格納スロットの内部で外部記憶装置及びそれを保持する緩衝部を弾性支持する硬質材でなる摺動保持部と、
を備える緩衝部材。
【請求項８】
外部記憶装置の差込方向前端部に端子が設けられ、格納スロットの内部に外部記憶装置の端子と接続する端子が突出しており、
緩衝部に、前記端子どうしが接触する前に格納スロットに対して接触して、外部記憶装置のスライド移動を減速させるスライド抑制手段を有する請求項７記載の緩衝部材。
【請求項９】
スライド抑制手段が、緩衝部における差込方向後端部に突設されており、先端面が摺動保持部を貫通して摺動保持部における格納スロットとの対向面から突出し、格納スロットに対して弾性変形しつつ摺動接触するスライド緩衝突起である請求項８記載の緩衝部材。
【請求項１０】
スライド抑制手段が、緩衝部における差込方向前端部に突設されており、格納スロットに対して突き当たりつつ弾性変形する突き当て緩衝突起である請求項８記載の緩衝部材。
【請求項１１】
保持面部に、外部記憶装置と接触せずに空気の通路を形成する溝状通気部を設ける請求項１〜請求項１０何れか１項記載の緩衝部材。
【請求項１２】
外部記憶装置を情報処理装置に備える接地接続部材に対して導電接続するアース接続部材をさらに備える請求項１〜請求項１１何れか１項記載の緩衝部材。
【請求項１３】
緩衝部が、複数に区分した分割緩衝部と、各分割緩衝部の膨出変形を許容する溝部とを有する請求項１〜請求項１２何れか１項記載の緩衝部材。
【請求項１４】
固着部が、摺動保持部と緩衝部との金型一体成形により形成される成形固着部である請求項１〜請求項１２何れか１項記載の緩衝部材。
【発明の詳細な説明】
【技術分野】
【０００１】
本発明は、情報処理装置に対して外部記憶装置をスライドにより装着し、振動や衝撃から保護するのに用いる緩衝部材に関する。特に、例えばノートブックタイプのパーソナルコンピュータ、携帯オーディオプレーヤ等の携帯機器、またカーオーディオ装置、カーナビゲーション装置等の車載機器のような可搬型の情報処理装置に内蔵するハードディスク装置（以下「ＨＤＤ」という。）等の外部記憶装置を、スライドにより装着し、また振動や衝撃から保護するために用いる緩衝部材に関する。
【背景技術】
【０００２】
可搬型の情報処理装置では、製商品の特性上、強い振動や衝撃を受けることがあり得ることから、情報処理装置に内蔵する外部記憶装置を緩衝支持するのが一般的である。例えば外部記憶装置がＨＤＤの場合、ゴム状弾性体でなる軟質の緩衝部材を取付けて、ＨＤＤを情報処理装置の内部で弾性支持するのが一般的である。特許文献１は本出願人の提案による緩衝部材の一例である。
【特許文献１】特開２００５−３８５３８号公報
【発明の開示】
【発明が解決しようとする課題】
【０００３】
ところで、緩衝部材を取付けたとしても、想定外の強い衝撃が加わったような場合には、ＨＤＤの磁気ヘッドが磁気ディスクと接触するなどしてＨＤＤが使用不可能となってしまうことがある。この場合には、ＨＤＤを新しいものに交換するために、ＨＤＤを情報処理装置から取り外す必要がある。また、例えばカーナビゲーション装置では、地図データ等を最新のものに書き換えるために、装置からＨＤＤを取り外す必要がある。
【０００４】
こうしたＨＤＤのデタッチャブル機能を実現するために、可搬型の情報処理装置の中には、ＨＤＤをカードのようにして情報処理装置の格納スロットに差し込んで取付けたり取外したりすることができるものが提案されている。
【０００５】
しかしながら、従来の緩衝部材は、ＨＤＤのデタッチャブル機能に適合していないことから、ＨＤＤやそれを収容する格納スロットに対して粘着テープで固定されていたり、またＨＤＤや格納スロットに対して形状的に係合することで固定されていることが多い。したがってＨＤＤを取外しにくく、また取り外せたとしても作業が困難である。
【０００６】
以上のような従来技術を背景になされたのが本発明である。その目的は、可搬型の情報処理装置における外部記憶装置のデタッチャブル機能に適合しつつ外部記憶装置の耐振動性、耐衝撃性を高めることができる緩衝部材を提供することにある。
【課題を解決するための手段】
【０００７】
この目的を達成すべく、本発明にて提案する緩衝部材は２つのタイプとして把握することができ、それぞれの具体的構成は以下のとおりである。
第１のタイプ：情報処理装置側に取付ける緩衝部材
第２のタイプ：外部記憶装置側に取付ける緩衝部材
【０００８】
第１のタイプ：情報処理装置側に取付ける緩衝部材
【０００９】
（１）情報処理装置に外部記憶装置を差込ませて収容する格納スロットを備えており、この格納スロットに外部記憶装置をスライド移動させて装着するために、格納スロットに設ける緩衝部材であって、
格納スロットへの差込方向に沿う外部記憶装置の側端部とスライド係合しつつ該側端部を保持する保持面部を有する硬質材でなる摺動保持部と、
外部記憶装置を保持する摺動保持部との固着部を有し、格納スロットの内部で外部記憶装置及びそれを保持する摺動保持部を弾性支持するゴム状弾性体でなる緩衝部と、を備える緩衝部材。
【００１０】
格納スロットへの差込方向に沿う外部記憶装置の側端部とスライド係合しつつ該側端部を保持する保持面部を有する硬質材でなる摺動保持部を備えるため、本発明では外部記憶装置を硬質材でなる保持面部にて円滑にスライドさせることができる。したがって外部記憶装置のスライドによる着脱を容易に行うことができる。
【００１１】
格納スロットの内部で外部記憶装置及びそれを保持する摺動保持部を弾性支持するゴム状弾性体でなる緩衝部を備えるため、本発明では摺動保持部及び摺動保持部で保持する外部記憶装置を緩衝部で弾性支持することで、外部記憶装置の耐振動性、耐衝撃性を高めることができる。
【００１２】
緩衝部には外部記憶装置を保持する摺動保持部との固着部を有するため、本発明では硬質材でなる摺動保持部とゴム状弾性体でなる緩衝部とが構造的に一体の部品となる。緩衝部には外部記憶装置の耐振動性、耐衝撃性を高めるための柔らかさが求められるため、それ自体には形状保持性が乏しい。しかしながら、硬質材でなり形状保持性のある摺動保持部との固着部を有することから、摺動保持部が芯材となって緩衝部の形状を保持することができる。したがって、緩衝部材を情報処理装置に組み込む際のハンドリング性を高めることができる。
【００１３】
（２）本発明の緩衝部材は、外部記憶装置の差込方向前端部に端子が設けられ、格納スロットの内部に外部記憶装置の端子と接続する端子が突出しており、摺動保持部又は緩衝部に、前記端子どうしが接触する前に外部記憶装置と接触して、外部記憶装置のスライド移動を減速させるスライド抑制手段を有するものとして構成される。
【００１４】
摺動保持部又は緩衝部に設けるスライド抑制手段が、前記端子どうしが接触する前に外部記憶装置と接触して、そのスライド移動を減速させる。このため、情報処理装置に外部記憶装置を格納した後だけでなく、情報処理装置に外部記憶装置を取付ける際にも、端子どうしの衝突による衝撃によって外部記憶装置自体が故障して使用不能となったり端子が変形したり破損したりすることを防止できる。
【００１５】
（３）スライド抑制手段は、緩衝部材の奥側端部に突設されており、先端面が摺動保持部を貫通し保持面部に露出し、外部記憶装置の側端部に対して弾性変形しつつ摺動接触するスライド緩衝突起として構成できる。
【００１６】
スライド抑制手段としてのスライド緩衝突起が、緩衝部材の奥側端部に突設されており、先端面が摺動保持部を貫通し保持面部に露出し、外部記憶装置の側端部に対して弾性変形しつつ摺動接触する。このためスライド移動する外部記憶装置を端子どうしが接触する前に確実に減速させることができる。
また、スライド緩衝突起は緩衝部の一部として構成することができる。このため部品点数を増加させずにスライド抑制手段を実現できる。
さらに、スライド緩衝突起は保持面部に露出する。このため緩衝部材それ自体の大きさを大きくしたりする必要がなく、情報処理装置の薄型化・小型化に適応することができる。
【００１７】
（４）スライド緩衝突起は、保持面部から突出するものとして構成できる。
【００１８】
スライド緩衝突起が保持面部から突出するので、外部記憶装置の側端部の通り道（保持面部により形成されるスライド空間）が狭くなる。スライド移動する外部記憶装置は、この保持面部から突出するスライド緩衝突起に対して柔らかく接触してから狭くなった通り道を通過する。このためスライド移動する外部記憶装置をさらに確実に減速させることができる。
【００１９】
（５）スライド抑制手段は、摺動保持部の奥側端部に突設されており、スライド移動する外部記憶装置の差込方向前端部が突き当たりつつ撓み変形する硬質緩衝ばね片として構成できる。
【００２０】
スライド抑制手段としての硬質緩衝ばね片が、摺動保持部の奥側端部に突設されており、スライド移動する外部記憶装置の差込方向前端部が突き当たりつつ撓み変形する。このためスライド移動する外部記憶装置を端子どうしが接触する前に確実に減速させることができる。
また、この硬質緩衝ばね片は摺動保持部の一部として構成することができる。このため部品点数を増加させずにスライド抑制手段を実現できる。
【００２１】
（６）保持面部に、外部記憶装置の側端部に対して圧接することで、該側端部のスライド移動を許容する保持面部と該側端部との隙間を解消し、外部記憶装置を格納スロットに対して固定的に保持する固定突部を有するものとして構成できる。
【００２２】
固定突部が外部記憶装置の側端部に対して圧接することで、該側端部のスライド移動を許容する保持面部と該側端部との隙間を解消するので、外部記憶装置を格納スロットに対して隙間によるがたつきがなく固定的に保持することができる。
【００２３】
第２のタイプ：外部記憶装置側に取付ける緩衝部材
【００２４】
（７）情報処理装置に外部記憶装置を差込ませて収容する格納スロットを備えており、この格納スロットに外部記憶装置をスライド移動させて装着するために、外部記憶装置に設ける緩衝部材であって、
格納スロットへの差込方向に沿う外部記憶装置の側端部をその長さ方向に亘って保持する保持面部を有するゴム状弾性体でなる緩衝部と、
外部記憶装置を保持する緩衝部との固着部を有し、格納スロットに該差込方向に沿って設けられた長溝状又は長突起状のスライド受け部とスライド係合しつつ、格納スロットの内部で外部記憶装置及びそれを保持する緩衝部を弾性支持する硬質材でなる摺動保持部と、を備える緩衝部材。
【００２５】
格納スロットへの差込方向に沿う外部記憶装置の側端部をその長さ方向に亘って保持する保持面部を有するゴム状弾性体でなる緩衝部を備えるため、本発明では緩衝部が外部記憶装置の側端部を弾性的に保持することで外部記憶装置の耐振動性、耐衝撃性を高めることができる。
また、緩衝部の保持面部がゴム状弾性体でなるため、柔軟で形状追従性があり外部記憶装置の側端部に密着することから、確実に外部記憶装置を保持することができる。
【００２６】
格納スロットに該差込方向に沿って設けられた長溝状又は長突起状のスライド受け部とスライド係合する硬質材でなる摺動保持部を備える。このため、外部記憶装置を硬質材でなる摺動保持部にて円滑にスライドさせることができる。したがって外部記憶装置のスライドによる着脱を容易に行うことができる。
【００２７】
摺動保持部は、格納スロットの内部で外部記憶装置及びそれを保持する緩衝部を支持する。このため、硬質材でなる摺動保持部を骨格材として、緩衝部及び緩衝部にて確実に保持される外部記憶装置が支持されることで、外部記憶装置の耐振動性、耐衝撃性を高めることができる。
【００２８】
摺動保持部には外部記憶装置を保持する緩衝部との固着部を有する。このため、硬質材でなる摺動保持部とゴム状弾性体でなる緩衝部とが構造的に一体の部品となる。緩衝部には外部記憶装置の耐振動性、耐衝撃性を高めるための柔らかさが求められるため、それ自体には形状保持性が乏しい。しかしながら、硬質材でなり形状保持性のある摺動保持部に緩衝部との固着部を有することから、摺動保持部が芯材となって緩衝部の形状を保持することができる。したがって、緩衝部材を情報処理装置に組み込む際のハンドリング性を高めることができる。
【００２９】
（８）本発明の緩衝部材は、外部記憶装置の差込方向前端部に端子が設けられ、格納スロットの内部に外部記憶装置の端子と接続する端子が突出しており、緩衝部に、前記端子どうしが接触する前に格納スロットに対して接触して、外部記憶装置のスライド移動を減速させるスライド抑制手段を有するものとして構成できる。
【００３０】
緩衝部に設けるスライド抑制手段が、前記端子どうしが接触する前に外部記憶装置と接触して、そのスライド移動を減速させる。このため、情報処理装置に外部記憶装置を格納した後だけでなく、情報処理装置に外部記憶装置を取付ける際にも、端子どうしの衝突による衝撃によって外部記憶装置自体が故障して使用不能となったり端子が変形したり破損したりすることを防止できる。
【００３１】
（９）スライド抑制手段は、緩衝部における差込方向後端部に突設されており、先端面が摺動保持部を貫通して摺動保持部における格納スロットとの対向面から突出し、格納スロットに対して弾性変形しつつ摺動接触するスライド緩衝突起として構成できる。
【００３２】
スライド抑制手段としてのスライド緩衝突起が、緩衝部材における差込方向後端部に突設されており、先端面が摺動保持部を貫通して摺動保持部における格納スロットとの対向面から突出し、格納スロットに対して弾性変形しつつ摺動接触する。このためスライド移動する外部記憶装置を端子どうしが接触する前に確実に減速させることができる。
また、スライド緩衝突起は緩衝部の一部として構成することができる。このため部品点数を増加させずにスライド抑制手段を実現できる。
さらに、スライド緩衝突起は摺動保持部における格納スロットとの対向面から突出するが、格納スロットに対して弾性変形しつつ摺動接触する。このため使用状態ではスライド緩衝突起の突出量が小さくなるため、情報処理装置の薄型化・小型化に適応することができる。
【００３３】
（１０）スライド抑制手段は、緩衝部における差込方向前端部に突設されており、格納スロットに対して突き当たりつつ弾性変形する突き当て緩衝突起として構成できる。
【００３４】
スライド抑制手段としての突き当て緩衝突起が、緩衝部における差込方向前端部に突設されており、格納スロットに対して突き当たりつつ弾性変形する。このためスライド移動する外部記憶装置を端子どうしが接触する前に確実に減速させることができる。
また、このスライド緩衝突起は緩衝部の一部として構成することができる。このため部品点数を増加させずにスライド抑制手段を実現できる。
【００３５】
第１、第２のタイプの緩衝部材に共通適用できる本発明の構成
【００３６】
（１１）保持面部に、外部記憶装置と接触せずに空気の通路を形成する溝状通気部を設けることができる。
これによれば、保持面部に設ける溝状通気部が空気の通路となって外部記憶装置の放熱性を高めることができる。
【００３７】
（１２）外部記憶装置を情報処理装置に備える接地接続部材に対して導電接続するアース接続部材をさらに備えるものとすることができる。
これによれば、外部記憶装置に帯電する静電気を逃がすことができるので、静電気の帯電による外部記憶装置の誤動作等を回避することができる。
【００３８】
（１３）緩衝部は、複数に区分した分割緩衝部と、各分割緩衝部の膨出変形を許容する溝部とを有するものとして構成できる。
これによれば、振動や衝撃を受けた際に、各分割緩衝部を溝部（空間）に向けて膨出変形させることができる自由度が高まるので、外部記憶装置の耐振動性、耐衝撃性をさらに高めることができる。
【００３９】
（１４）固着部は、摺動保持部と緩衝部との金型一体成形により形成される成形固着部として構成できる。
これによれば、硬質材でなる摺動保持部とゴム状弾性体でなる緩衝部との界面を成形固着部として強固に一体化することができる。このため、ノートＰＣ等の携帯機器や、カーナビゲーション装置等の車載機器のように、使用時に振動、衝撃を頻繁に受ける可搬型の情報処理装置に継続使用されても、緩衝部と摺動保持部とが分離せず、緩衝部と摺動保持部との協働による耐振動性、耐衝撃性を有効に機能させ続けることができる。
【発明の効果】
【００４０】
本発明の緩衝部材によれば、可搬型の情報処理装置における外部記憶装置のデタッチャブル機能に適合して外部記憶装置のスライドによる取付け取外しを容易に行うことが可能であり、尚かつ情報処理装置に取付けた状態で外部記憶装置の耐振動性、耐衝撃性を高めることができる。
【発明を実施するための最良の形態】
【００４１】
以下、本発明の実施形態の例について図面を参照しつつ説明する。なお、背景技術との共通部分や各実施形態間の共通部分は同一の符号を付して重複説明を省略する。なお、以下の各実施形態では、「外部記憶装置」としてＨＤＤを例に挙げて説明する。
【００４２】
情報処理装置及びＨＤＤの概略構成〔図１〕：
可搬型の情報処理装置１の筐体２には、前面に開口３を有する格納スロット４が設けられている。格納スロット４はＨＤＤ５の収容空間であり、後述の各実施形態では硬質材（例えば金属又は硬質樹脂）で形成されている。なお、ここでは格納スロット４として５面構成の箱形のものを例示するが、これに限られるものではない。最も構成面が少ない場合として、ＨＤＤ５の筐体６の両側面と対向する側面を有するだけでもよい。したがってこの場合の収容空間は、格納スロットと情報処理装置の他の内部構造要素とによって構成される。
【００４３】
格納スロット４の最深部には雌型コネクタ７が取付けられている。この雌型コネクタ７には、ＨＤＤ５の差込方向（スライド方向）の前端部に突出する雄型コネクタ８のピン端子９が差し込まれて端子どうしが接触する。これによりＨＤＤ５と情報処理装置１とが電気的に接続される。
【００４４】
以下に説明する各実施形態の緩衝部材は、このように情報処理装置１の雌型コネクタ７とＨＤＤ５の雄型コネクタ８とが接続された状態で、ＨＤＤ５と格納スロット４との間に介在し、ＨＤＤ５を弾性支持するためのものである。これによってＨＤＤ５に対する振動や衝撃を緩衝してＨＤＤ５を保護するとともに、振動や衝撃によってＨＤＤ５の雄型コネクタ８のピン端子９と情報処理装置１の雌型コネクタ７との接続が緩んだり外れたりしないようにする。
先ず第１実施形態〜第７実施形態ではＨＤＤ５に予め取付けるタイプの緩衝部材を説明する。次に、第８実施形態〜第１３実施形態で情報処理装置１の格納スロット４に取付けるタイプを説明する。
【００４５】
第１：ＨＤＤ取付用の緩衝部材
【００４６】
第１実施形態〔図２〜図４〕
【００４７】
部材構造（図２）：
緩衝部材１１は、緩衝部１２と摺動保持部１３とで構成される。緩衝部１２はゴム状弾性体の成形体にて形成され、摺動保持部１３は硬質樹脂の成形体にて形成されている。緩衝部１２は断面コ字状に形成されており、またＨＤＤ５と同程度の長さで形成されている。
【００４８】
緩衝部１２は、ＨＤＤ５の筐体６の側端部６ａにおける上面６ｂ、左右の側面６ｃ、底面６ｄにそれぞれ対応する上面保持部１２ａ、側面保持部１２ｂ、底面保持部１２ｃを有しており、これらの内面によって形成される溝状の保持面部１２ｄにてＨＤＤ５の側端部６ａを長手方向に亘って保持する。
【００４９】
緩衝部１２をなすゴム状弾性体には、硬度がＪＩＳ  ＴＹＰＥ  Ｅ１０〜Ｅ５０の軟質で柔軟性のある弾性体を用いる。本実施形態ではこの弾性体についてさらに粘着性を有するものを用いる。具体的には、寸法精度、耐熱性、機械的強度、耐久性、信頼性、防振特性、制御特性などの要求性能に応じて、熱可塑性エラストマー、熱硬化性ゴム等を用いることができる。硬度がＪＩＳ  ＴＹＰＥ  Ｅ１０より低いとＨＤＤ５を安定的に保持することが困難となり、Ｅ５０より高いと要求する振動減衰効果が得られず衝撃を緩衝することもできない。熱可塑性エラストマーとしては、スチレン系熱可塑性エラストマー、オレフィン系熱可塑性エラストマー、ポリウレタン系熱可塑性エラストマー、塩化ビニル系熱可塑性エラストマー等が挙げられる。また、熱硬化性ゴムとしては、ブチルゴム、アクリルゴム、ウレタンゴム、エチレンプロピレンゴム、フッ素ゴム、シリコーンゴム等が挙げられる。そしてこうしたゴム状弾性体については難燃剤や滑剤などを添加したものでもよい。
【００５０】
摺動保持部１３は、緩衝部１２の側面保持部１２ｂの外面を覆う薄板状として形成されている。この摺動保持部１３は、後述する格納スロット４に設けられた長溝状の「スライド受け部」に対して緩衝部１２が接触しない状態で摺動保持部１３のみがスライド係合することのできる板厚のものとして形成されている。
【００５１】
摺動保持部１３は、非粘着性であり摺動性、高い耐摩耗性を有する硬質樹脂にて形成される。なお、本実施形態で例示する硬質樹脂の他、樹脂フィルム、金属、セラミックスなどの単体、又はこれらの複合体も使用できる。硬質樹脂としては、機械的強度、耐熱性、耐久性、寸法精度、信頼性等の要求性能、及び軽量化や加工性により、熱可塑性樹脂が好ましい。例えば、ポリプロピレン樹脂、ポリオレフィン樹脂、ポリエステル樹脂、ポリエチレン樹脂、ポリ塩化ビニル樹脂、ポリスチレン樹脂、アクリロニトリル・ブタジエン・スチレン樹脂、ポリカーボネート樹脂、ポリエチレンテレフタレート樹脂、ポリブチレンテレフタレート樹脂、ポリウレタン樹脂等の熱可塑性樹脂、あるいはこれらの複合樹脂が挙げられる。熱可塑性樹脂に粉末形状や繊維形状の金属、ガラス、フィラー等の充填剤を添加することで剛性、寸法精度、耐熱性の更なる向上もでき、また難燃剤や滑剤などを添加したものでもよい。
【００５２】
製造方法：
以上のような緩衝部材１１を製造するには、緩衝部１２として熱可塑性エラストマーを用い、摺動保持部１３として熱可塑性樹脂を用いた場合、二色成形が可能となる。具体的には、先ず射出成形にてポリプロピレン樹脂でなる摺動保持部１３を成形する。次に金型内に摺動保持部１３を残し、この金型を緩衝部１２の成形用に変更してスチレン系熱可塑性エラストマーでなる緩衝部１２を成形する。この時、摺動保持部１３と緩衝部１２との界面は金型成形によって固着されて成形固着部１４が形成される。最後に緩衝部１１を成形するための金型から、相互に固着している緩衝部１２と摺動保持部１３を脱型することで緩衝部材１１を得ることができる。なお、緩衝部１２と摺動保持部１３を金型成形によって固着する際に、熱可塑性樹脂や熱可塑性エラストマーに改質剤や接着剤を混合すれば、さらに強固な成形固着部１４を形成することができる。
【００５３】
使用方法（図３）：
緩衝部材１１を使用するには、先ずＨＤＤ５の筐体６の左右の側端部６ａに、それぞれ緩衝部１２の保持面部１２ｄを嵌め込む。このとき緩衝部１２は軟質で柔軟性があり、しかも粘着性を有するので、ＨＤＤ５の側端部６ａの形状と追従するように密着させ保持させることができる。
【００５４】
次に、ＨＤＤ５に装着した左右の緩衝部材１１の摺動保持部１３を、情報処理装置１の格納スロット４に設けた「スライド受け部」としての係合溝１５と位置合わせをしてそのままＨＤＤ５を押し込む。押し込み続けていくと摺動保持部１３と係合溝１５とのスライド係合により、ＨＤＤ５がスライド移動していき、雄型コネクタ８のピン端子９が格納スロット４の内部にある情報処理装置１の雌型コネクタ７に対して嵌合接続されることで、ＨＤＤ５の取付けが完了する。これによって図３で示すように、ＨＤＤ５は緩衝部１２によって弾性支持されるとともに、ＨＤＤ５及びＨＤＤ５を保持する緩衝部１２は成形固着部１４を介して摺動保持部１３により格納スロット４の内部で浮動状態で支持されることになる。
【００５５】
作用・効果：
第１実施形態の緩衝部材１１及びそれを用いるＨＤＤ５の緩衝構造によれば、以下の作用・効果を奏することができる。
【００５６】
（１）ＨＤＤ５の耐振動性、耐衝撃性の向上：
緩衝部１２における断面コ字状の保持面部１２ｄが、ＨＤＤ５の側端部６ａに対して長さ方向に亘って嵌り込み、ＨＤＤ５の側端部６ａは上面６ｂ、側面６ｃ、底面６ｄについて軟質で柔軟性のある緩衝部１２によって覆われる。このため情報処理装置１が振動や衝撃を強く受けたとしてもＨＤＤ５を三次元方向で弾性支持することができる。したがって、ＨＤＤ５の耐振動性、耐衝撃性を大きく高めることができる。
【００５７】
（２）ＨＤＤ５に対する緩衝部材の保持力：
緩衝部１２が軟質で柔軟性があり、本実施形態ではさらに粘着性を有することから、保持面部１２ｄがＨＤＤ５の側端部６ａの形状に追従しつつ密着して保持することができる。よって予めＨＤＤ５に緩衝部材１１を取付けておいても容易に外れることなく確実にＨＤＤ５を保持することができる。
【００５８】
（３）ＨＤＤ５の取付けの容易性：
摺動保持部１３を格納スロット４の係合溝１５とスライド係合させれば、ＨＤＤ５を取付けることができる。このため硬質材どうしの滑り性のあるスライド係合によってＨＤＤ５を円滑にスライド移動させることができる。よってＨＤＤ５のスライドによる着脱を容易に行うことができる。
【００５９】
前述のとおり、緩衝部１２は軟質で柔軟性がある反面、形状保持性に乏しい。しかしながら、成形固着部１４を介して形状保持性のある摺動保持部１３と強固に固着するため、摺動保持部１３を芯材として緩衝部１２の形状を保持することができる。よって、緩衝部材１１をＨＤＤ５に取付ける際の取扱性を高めることができる。
【００６０】
変形例（図４）：
第１実施形態の緩衝部材１１については、摺動保持部１３を格納スロット４の係合溝１５にスライド係合させる例を示したが、例えば図４〜図６のようにすることもできる。
【００６１】
図４（Ａ）は、摺動保持部１３の長手方向に亘って係合突条１６を設ける例である。この係合突条１６は格納スロット４の内面に設けた「スライド受け部」としての係合長溝１７に対してスライド係合する。
図４（Ｂ）は、摺動保持部１３の長手方向に亘って係合長溝１８を設ける例である。この係合長溝１８は格納スロット４の内面に設けた「スライド受け部」としての係合突条１９に対してスライド係合する。
図４（Ｃ）は、蟻継ぎ構造の係合突条２０と係合長溝２１とする例であり、何れも摺動保持部１３及び格納スロット４の長手方向に亘って形成されている。これによれば格納スロット４の内面に対して摺動保持部１３が離れないように、摺動保持部１３を確実に固定することができる。
【００６２】
第２実施形態〔図５〕
【００６３】
部材構造（図５）：
本実施形態の緩衝部材２２と第１実施形態の緩衝部材１１との相違点は、摺動保持部２３の構成であり、残余の構成、製造方法は同一であるため重複説明を省略する。
本実施形態の摺動保持部２３は、緩衝部１２の長手方向に亘って設けられており、緩衝部１２の上面保持部１２ａと底面保持部１２ｃとをそれぞれ被覆する上面支持部２４と底面支持部２５とを有するものである。格納スロット４には「スライド受け部」としての係合溝２６が形成されている。
したがって緩衝部材２２をＨＤＤ５の側端部６ａに装着し、上面支持部２４及び底面支持部２５を格納スロット４の係合溝２６に位置合わせしてＨＤＤ５を押し込めば、第１実施形態と同様にＨＤＤ５を装着することができる。
【００６４】
作用・効果：
第１実施形態の緩衝部材１１では、軟質で柔軟性のある緩衝部１２の上面保持部１２ａと底面保持部１２ｃとが硬質樹脂製の摺動保持部１３に対して片持ち梁状に突出しており、格納スロット４の内面との間には隙間がある。したがって、ＨＤＤ５に図３における上下方向に過剰に振れる非常に強い外力が作用した場合、ＨＤＤ５の雄型コネクタ８と情報処理装置１の雌型コネクタ７との接続箇所から離間するにつれて、上面保持部１２ａと底面保持部１２ｃが隙間中を大きく弾性変形する可能性があり、その際に保持面部１２ｄによるＨＤＤ５の側端部６ａの確実な保持を損ねるおそれがある。
しかしながら本実施形態の緩衝部材２２では、摺動保持部２３の上面支持部２４が成形固着部１４を介して緩衝部１２の上面保持部１２ａと全面固着しており、摺動保持部２３の底面支持部２５も成形固着部１４を介して緩衝部１２の底面保持部１２ｃと全面固着していることから、第１実施形態で見られる隙間が存在しない。このため、図３の上下方向に過剰に振れる非常に強い外力が作用した場合でも、緩衝部材１２の上面保持部１２ａと底面保持部１２ｃの弾性変形が摺動保持部２３により制限されることから、第１実施形態と比較して構造的にＨＤＤ５の変位量を小さく抑えることができる。この結果、ＨＤＤ５に対する振動や衝撃を緩衝してＨＤＤ５をより効果的に保護するとともに、振動や衝撃によってＨＤＤ５の雄型コネクタ８のピン端子９と情報処理装置１の雌型コネクタ７との接続が緩んだり外れたりすることをより効果的に防ぐことができる。
【００６５】
変形例（図４参照）：
上面支持部２４及び底面支持部２５と格納スロット４とのスライド係合構造は、前述の第１実施形態において変形例として示した図４の各例と同様に変形して実施することが可能である。
【００６６】
第３実施形態〔図６、図７〕
【００６７】
部材構造（図６）：
本実施形態の緩衝部材２７は、摺動保持部２８の構成について第１、第２実施形態と異なり、残余の構成、製造方法は同一であるため重複説明を省略する。
本実施形態の摺動保持部２８は、緩衝部１２の長手方向に亘って設けられており、緩衝部１２の上面保持部１２ａ、側面保持部１２ｂ、底面保持部１２ｃをそれぞれ被覆する上面支持部２９、側面支持部３０、底面支持部３１を有する断面コ字状に形成したものである。この摺動保持部２８は、格納スロット４の内面を溝状の「スライド受け部」としてスライド係合する。
したがって緩衝部材２７をＨＤＤ５の側端部６ａに装着し、摺動保持部２８を格納スロット４の内面に位置合わせしてＨＤＤ５を押し込めば、ＨＤＤ５を装着することができる。
【００６８】
作用・効果：
第２実施形態の緩衝部材２２では緩衝部１２の側面保持部１２ｂと格納スロット４との間に隙間が存在する。このため、ＨＤＤ５に図５における左右方向に過剰に振れる強い外力が作用した場合、ＨＤＤ５の雄型コネクタ８と情報処理装置１の雌型コネクタ７との接続箇所を支点として、そこから離間するにつれて側面保持部１２ｂが隙間中を大きく弾性変形する可能性があり、そして保持面部１２ｄによるＨＤＤ５の側端部６ａの確実な保持を損ねたり、雄型コネクタ８と雌型コネクタ７との接続に緩みが生じるおそれがある。
しかしながら本実施形態の緩衝部材２７では、緩衝部１２のコ字状外面が成形固着部１４を介して摺動保持部２８のコ字状内面と全面固着しており、第２実施形態で見られる隙間が存在しない。よって、緩衝部１２の側面保持部１２ｂの前記左右方向における過剰な弾性変形が制限され、ＨＤＤ５の前記左右方向への変位量を第２実施形態よりも小さく抑えることができる。この結果、ＨＤＤ５に対する振動や衝撃を緩衝してＨＤＤ５をより効果的に保護するとともに、振動や衝撃によってＨＤＤ５の雄型コネクタ８のピン端子９と情報処理装置１の雌型コネクタ７との接続が緩んだり外れたりすることをより効果的に防ぐことができる。
【００６９】
また、本実施形態の緩衝部材２７は、粘着性のある緩衝部１２のコ字状外面の全面が摺動保持部２８のコ字状内面によって覆われており、格納スロット４の内面に対して露出しておらず、誤って緩衝部１２が格納スロット４の内面に対して粘着することが無いことから、取付けを円滑に行うことができる。
【００７０】
変形例（図４参照、図７）：
摺動保持部２８と格納スロット４とのスライド係合構造は、前述の第１実施形態において変形例として示した図４の各例と同様に変形して実施することが可能である。例えば摺動保持部２８の側面支持部３０を、図４の各例で示す摺動保持部１３と同様にして変形したスライド係合構造とすることができる。また、摺動保持部２８の上面支持部２９、底面支持部３１についても、第２実施形態の変形例で説明したとおり、図４の各例で示すのと同様に変形したスライド係合構造とすることができる。
【００７１】
さらに第３実施形態の緩衝部材２７は図７のような変形実施も可能である。すなわち、図７の緩衝部材２７は、摺動保持部２８が格納スロット４に「スライド受け部」として設けた係合長溝３２に対してスライド係合するようになっており、且つその肉厚を係合長溝３２の深さ以上に形成したものである。これによれば、格納スロット４の内面に対して摺動保持部２８が離れないように、摺動保持部２８を確実に固定することができる。
【００７２】
第４実施形態〔図８、図９〕
【００７３】
部材構造（図８）：
本実施形態の緩衝部材３３は、緩衝部１２の構成について第３実施形態の緩衝部材２７と異なり、残余の構成、製造方法は同一であるため重複説明を省略する。
本実施形態の緩衝部１２には、格納スロット４への差込方向前端部に、保持面部１２ｄのコ字状端部を閉塞する閉塞端部３４が形成されている。この閉塞端部３４には、緩衝部材３３の長手方向に伸長する「スライド抑制手段」としての突き当て緩衝突起３５が形成されている。
【００７４】
作用・効果（図９）：
第１〜第３実施形態では緩衝部１２の両端において、コ字状内面により形成される保持面部１２ｄが開放されていることから、格納スロット４に対してＨＤＤ５を非常に急速に押し込んでしまうような場合に、保持面部１２ｄの粘着によるＨＤＤ５の側端部６ａの保持位置がずれて緩衝部材１１，２２，２７が置き去りになってしまうようなおそれがある。
これに対して本実施形態の緩衝部１２には、閉塞端部３４が形成されているため、ＨＤＤ５を非常に急速に押し込むようにしても、ＨＤＤ５の差込方向前端部が閉塞端部３４に対して必ず突き当たって係止することから、緩衝部材３３が置き去りになってしまうおそれを回避することができる。
【００７５】
前述のようにＨＤＤ５を非常に強く押し込んで急速にスライド移動させた場合、第１〜第３実施形態ではＨＤＤ５の雄型コネクタ８のピン端子９が格納スロット４の中にある雌型コネクタ７に対して衝突し、その衝撃によってＨＤＤ５自体が故障して使用不能となったり、それらの端子が変形したり破損したりするおそれがある。
しかしながら本実施形態では緩衝部１２の突き当て緩衝突起３５が、図９で示すように作用する。すなわち、ＨＤＤ５が格納スロット４の内部を急速にスライド移動する場合でも、ＨＤＤ５のピン端子９が雌型コネクタ７と接触する前に、突き当て緩衝突起３５が格納スロット４に対して突き当たり、ＨＤＤ５の急速なスライド移動を減速させることができる。したがって、雄型コネクタ８及びそのピン端子９が雌型コネクタ７及びそのピン端子と衝突し、その衝撃によってＨＤＤ５が故障して使用不能となったり、それらの端子が変形したり破損したりすることを防止できる。
【００７６】
変形例：
突き当て緩衝突起３５については円柱状のものを例示したが、突き当て緩衝突起３５の軸方向に対する形状保持力が弱い場合には、角柱状、円錐状、角錐状といった形状としたり、基端側から先端側にかけて段階的に徐々に外径を細くなる形状とすることができる。
また、図９（Ｂ）では突き当て緩衝突起３５が軸方向で圧縮変形して潰れる例を示したが、軸方向の中間位置で折れ曲がって座屈するようにしてもよい。
【００７７】
第５実施形態〔図１０、図１１〕
【００７８】
部材構造（図１０）：
本実施形態の緩衝部材３６は、緩衝部１２と摺動保持部２８の細部構成について第３実施形態の緩衝部材２７と異なり、残余の構成、製造方法は同一であるため重複説明を省略する。
本実施形態の摺動保持部２８には側面支持部３０の肉厚を貫通する孔３７が形成されている。他方、緩衝部１２には側面保持部１２ｂから孔３７を通じて延在し、側面支持部３０の外面に突出する「スライド抑制手段」としてのスライド緩衝突起３８を形成したものである。
【００７９】
作用・効果（図１１）：
前述のようにＨＤＤ５を非常に強く押し込んで急速にスライド移動させた場合、第１〜第３実施形態ではＨＤＤ５の雄型コネクタ８のピン端子９が格納スロット４の中にある雌型コネクタ７に対して衝突し、その衝撃によってＨＤＤ５自体が故障して使用不能となったり、それらの端子が変形したり破損したりするおそれがある。
しかしながら本実施形態では摺動保持部２８の側面支持部３０から突出するスライド緩衝突起３８が、図１１で示すように作用する。すなわち、ＨＤＤ５が格納スロット４の内部を急速にスライド移動する場合でも、ＨＤＤ５のピン端子９が雌型コネクタ７と接触する前に、スライド緩衝突起３８が先ず格納スロット４の開口３に対して弾性接触することでＨＤＤ５の急速なスライド移動を減速させる。このとき、スライド緩衝突起３８は、ＨＤＤ５のスライド移動方向に沿う前端側から漸次傾きが大きくなる傾斜面３８ａとなっているため、ＨＤＤ５のスライド移動が急激に停止することはない。むしろ傾斜面３８ａと格納スロット４の内側面との接触により発生する摺動抵抗は、傾斜面３８ａが徐々に弾性変形しながら格納スロット４と接触するにつれて徐々に増加していく。そしてこの摺動抵抗は、ピン端子９が雌型コネクタ７に対して接続するまで続き、接続後もその状態が維持される。このようにしてＨＤＤ５の急速なスライド移動を減速させることができるので、雄型コネクタ８及びそのピン端子９が雌型コネクタ７及びそのピン端子と衝突し、その衝撃によってＨＤＤ５が故障して使用不能となったり、それらの端子が変形したり破損したりすることを防止できる。
【００８０】
変形例：
スライド緩衝突起３８については、摺動保持部２８の側面支持部３０から突出する例を示したが、上面支持部２９、側面支持部３０、底面支持部３１の少なくとも何れかから突出するように形成することができる。また各部について複数箇所に形成してもよい。
【００８１】
第６実施形態〔図１２〕
【００８２】
部材構造（図１２）：
本実施形態の緩衝部材３９は、緩衝部１２について第３実施形態の緩衝部材２７と異なり、残余の構成、製造方法は同一であるため重複説明を省略する。
本実施形態の緩衝部１２では保持面部１２ｄを形成する上面保持部１２ａ、側面保持部１２ｂ、底面保持部１２ｃに長溝４０が形成されている。
【００８３】
作用・効果：
保持面部１２ｄの全面がＨＤＤ５の側端部６ａと接触している場合、その接触部分についてＨＤＤ５の駆動により生じる熱が籠もるおそれがある。
しかしながら、保持面部１２ｄに長溝４０を形成すると、長溝４０の部分ではＨＤＤ５と接触せず、そこが空気の通路となってＨＤＤ５の側端部６ａにおける放熱性を高める「溝状通気部」とすることができる。
【００８４】
また、長溝４０を形成した結果、上面保持部１２ａ、側面保持部１２ｂ、底面保持部１２ｃは、それぞれ長溝４０を介してＨＤＤ５との接触面が分割されることになる。このため振動や衝撃を受けて、分割された上面保持部１２ａ、側面保持部１２ｂ、底面保持部１２ｃが弾性変形する際に、長溝４０の内部へ膨出変形させることができるようになる。即ち上面保持部１２ａ、側面保持部１２ｂ、底面保持部１２ｃが複数に分割した「分割緩衝部」を構成し、長溝４０がその分割緩衝部の膨出を許容する「溝部」を構成する。これによってＨＤＤ５の耐振動性、耐衝撃性を改善することができる。
【００８５】
そして、このような長溝４０の内部への膨出変形によって、長溝４０の空間容積は変化する。したがって膨出変形時には長溝４０の内部に溜まるＨＤＤ５からの熱を長溝４０の外へと排出することができ、原形状への復帰時には長溝４０の内部に格納スロット４の内部の空気を取り込むことができる。このように振動や衝撃を受ければ受けるほど、長溝４０の内部の空気を吸排気させることができるので、ＨＤＤ５の側端部６ａにおける放熱性を高めることができる。
【００８６】
変形例：
長溝４０については、保持面部１２ｄの長手方向に沿う例を示したが、例えば上面保持部１２ａ、側面保持部１２ｂ、底面保持部１２ｃのそれぞれの幅方向に溝を形成してもよい。また、上面保持部１２ａ、側面保持部１２ｂ、底面保持部１２ｃに形成した長溝４０どうしを繋ぐような溝を形成してもよい。
【００８７】
第７実施形態〔図１３、図１４〕
【００８８】
部材構造（図１３、図１４）：
本実施形態の緩衝部材４１は、アース接続部材４２を備える点で第３実施形態の緩衝部材２７と異なり、残余の構成は同一であるため重複説明を省略する。
アース接続部材４２は例えば導電性を有する樹脂フィルムにより形成したものである。これを取付ける緩衝部１２の上面保持部１２ａと摺動保持部２８の上面支持部２９には、取付凹部４３，４４が形成されている。したがってアース接続部材４２は、一端と他端を取付凹部４３，４４に固定させることで取付けられる。その固定は例えば粘着テープ、粘着剤等を使用して行う。このようにして取付けたアース接続部材４２は、一端側が保持面部１２ｄに露出してＨＤＤ５の側端部６ａに対して接触する。他端側は格納スロット４に対して接触する。これによってＨＤＤ５と格納スロット４との間に接地接続用の導電経路を形成することができる。
【００８９】
作用・効果：
アース接続部材４２によってＨＤＤ５と格納スロット４との間に接地接続用の導電経路を形成することができることから、ＨＤＤ５に帯電する静電気を逃がすことができる。したがって静電気の帯電に起因するＨＤＤ５の誤動作の発生等を回避することができ、動作信頼性を改善することができる。
【００９０】
第２：格納スロット取付用の緩衝部材
【００９１】
第８実施形態〔図１５〕
【００９２】
部材構造（図１５）：
本実施形態の緩衝部材４５は緩衝部１２と摺動保持部２８で構成されるが、第３実施形態の緩衝部材２７とは相互の固着面が異なる。製造方法は同一であるため重複説明を省略する。
【００９３】
本実施形態の摺動保持部２８は、ＨＤＤ５の筐体６の側端部６ａにおける上面６ｂ、左右の側面６ｃ、底面６ｄにそれぞれ対応する上面支持部２９、側面支持部３０、底面支持部３１を有しており、これらの内面によって形成される溝状の保持面部４６はＨＤＤ５の側端部６ａとスライド係合しつつ側端部６ａを保持する。
【００９４】
本実施形態の緩衝部１２は、摺動保持部２８の上面支持部２９、側面支持部３０、底面支持部３１の各外面をそれぞれ被覆する上面保持部１２ａ、側面保持部１２ｂ、底面保持部１２ｃを形成したものである。そして緩衝部１２の内面は摺動保持部２８の外面に対し成形固着部１４を介して全面固着しており、緩衝部１２の外面は内部に接触する。
【００９５】
使用方法（図１５）：
緩衝部材４５を使用するには、先ず情報処理装置１における格納スロット４の内部に２つの緩衝部材４５を摺動保持部２８が相互に対向するようにして緩衝部１２の外面側を嵌め込む。緩衝部１２は軟質で柔軟性があり、しかも粘着性を有するので、格納スロット４の内部に密着させ保持させることができる。
【００９６】
次に、ＨＤＤ５の筐体６の左右の側端部６ａを、向かい合う摺動保持部２８の保持面部４６に合わせ押し込む。押し込み続けていくと摺動保持部２８の保持面部４６と筐体６の側端部６ａとのスライド係合により、ＨＤＤ５がスライド移動していき、雄型コネクタ８のピン端子９が格納スロット４の内部にある情報処理装置１の雌型コネクタ７に対して嵌合接続されることで、ＨＤＤ５の取付けが完了する。これによって図１５で示すように、ＨＤＤ５及びＨＤＤ５を保持する摺動保持部２８は緩衝部１２によって弾性支持されることになる。
【００９７】
作用・効果：
硬質樹脂でなる摺動保持部２８がＨＤＤ５の側端部６ａとスライド係合しつつその側端部６ａを保持する保持面部４６を有している。このためＨＤＤ５を保持面部４６にて円滑にスライドさせることができる。よってＨＤＤ５のスライドによる着脱を容易に行うことができる。
【００９８】
軟質で柔軟性のある緩衝部１２が格納スロット４の内部でＨＤＤ５及びＨＤＤ５を保持する摺動保持部２８を弾性支持している。このため情報処理装置１が振動や衝撃を強く受けたとしてもＨＤＤ５を三次元方向で弾性支持することができる。したがって、ＨＤＤ５の耐振動性、耐衝撃性を大きく高めることができる。
【００９９】
緩衝部１２と摺動保持部２８とが成形固着部１４を介する構造的に一体の部品であることから、摺動保持部２８が芯材となって形状保持性に乏しい緩衝部１２の形状を保持することができる。よって緩衝部材４５を情報処理装置１に組み込む際のハンドリング性を高めることができる。
【０１００】
第９実施形態〔図１６，図１７〕
【０１０１】
部材構造（図１６（Ａ））：
本実施形態の緩衝部材４７と第８実施形態の緩衝部材４５の相違点は、摺動保持部４８の構成であり、残余の構成、製造方法は同一であるため重複説明を省略する。
本実施形態の摺動保持部４８は、緩衝部１２の長手方向に亘って設けられており、断面矩形状の角柱に形成される。緩衝部１２の上面保持部１２ａ、側面保持部１２ｂ、底面保持部１２ｃの各内面に対し摺動保持部４８が１つずつ成形固着部１４を介して固着する。即ち３つ摺動保持部４８が離間して緩衝部１２の内面に固着している。これら摺動保持部４８における成形固着部１４との反対側がＨＤＤ５の保持面部４６を構成する。
したがって緩衝部材４７を格納スロット４の内部に嵌め込み、ＨＤＤ５の側端部６ａを保持面部４６に合わせてＨＤＤ５を押し込めば、第８実施形態と同様にＨＤＤ５を装着することができる。
【０１０２】
作用・効果：
摺動保持部４８が離間して緩衝部１２の内面に固着しているため、保持面部４６にＨＤＤ５と接触せずに空気の通路を形成する「溝状通気部」を設けることができ、この溝状通気部が空気の通路となってＨＤＤ５の放熱性を高めることができる。
【０１０３】
第１変形例（図１６（Ｂ））：
断面矩形状の摺動保持部４８を例示したが、図１６（Ｂ）で示すように、断面Ｌ字形状の摺動保持部４９を設けることもできる。
このようにすれば、装着時に振動や衝撃を受けて緩衝部材４７が位置ずれしようとしても断面Ｌ字状の摺動保持部４９がＨＤＤ５における側端部６ａの角部に引っかかり、緩衝部材４７が格納スロット４の内部で位置ずれすることを防止できる。よって当初の衝撃吸収性や振動減衰性を持続的に発揮できる。
【０１０４】
第２変形例（図１７）：
断面矩形状の摺動保持部４８を緩衝部１２の長手方向に亘って連続的（一体物）に例示したが、図１７で示すように、摺動保持部４８を断続的に分割片として設けることもできる。
【０１０５】
第１０実施形態〔図１８〕
【０１０６】
部材構造（図１８）：
本実施形態の緩衝部材５０は、摺動保持部２８の細部構成について第８実施形態の緩衝部材４５と異なり、残余の構成、製造方法は同一であるため重複説明を省略する。
本実施形態における摺動保持部２８には、上面支持部２９と底面支持部３１との対向面に相互に突出する固定突起５１が形成されている。即ち保持面部４６に固定突起５１が設けられている。
【０１０７】
作用・効果：
保持面部４６に設けた固定突部５１がＨＤＤ５の側端部６ａに対して圧接することで、側端部６ａのスライド移動を許容する保持面部４６と側端部６ａとの隙間を解消することができ、ＨＤＤ５を格納スロット４に対して隙間によるがたつきがなく固定的に保持することができる。
【０１０８】
第１１実施形態〔図１９，図２０〕
【０１０９】
部材構造（図１９）：
本実施形態の緩衝部材５２は、緩衝部１２と摺動保持部２８の細部構成について第８実施形態の緩衝部材４５と異なり、残余の構成、製造方法は同一であるため重複説明を省略する。
本実施形態の摺動保持部２８には側面支持部３０の奥側端部に肉厚を貫通する孔３７が形成されている。他方、緩衝部１２には側面保持部１２ｂから孔３７を通じて延在し、側面支持部３０の内面に突出する「スライド抑制手段」としてのスライド緩衝突起３８を形成したものである。
【０１１０】
作用・効果（図２０）：
ＨＤＤ５を非常に強く押し込んで急速にスライド移動させた場合、第８，第９実施形態ではＨＤＤ５の雄型コネクタ８のピン端子９が格納スロット４の中にある雌型コネクタ７に対して衝突し、その衝撃によってＨＤＤ５自体が故障して使用不能となったり、それらの端子が変形したり破損したりするおそれがある。
しかしながら本実施形態では摺動保持部２８の側面支持部３０から突出するスライド緩衝突起３８が、図２０で示すように作用する。すなわち、ＨＤＤ５が摺動保持部２８の保持面部４６を急速にスライド移動する場合でも、ＨＤＤ５のピン端子９が雌型コネクタ７と接触する前に、スライド緩衝突起３８が先ずＨＤＤ５の側面６ｃに対して弾性接触することでＨＤＤ５の急速なスライド移動を減速させる。このとき、スライド緩衝突起３８は、ＨＤＤ５のスライド移動方向に沿う前端側から漸次傾きが大きくなる傾斜面３８ａとなっているため、ＨＤＤ５のスライド移動が急激に停止することはない。むしろ傾斜面３８ａとＨＤＤ５との接触により発生する摺動抵抗は、傾斜面３８ａが徐々に弾性変形しながらＨＤＤ５と接触するにつれて徐々に増加していく。そしてこの摺動抵抗は、ピン端子９が雌型コネクタ７に対して接続するまで続き、接続後もその状態が維持される。このようにしてＨＤＤ５の急速なスライド移動を減速させることができるので、雄型コネクタ８及びそのピン端子９が雌型コネクタ７及びそのピン端子と衝突し、その衝撃によってＨＤＤ５が故障して使用不能となったり、それらの端子が変形したり破損したりすることを防止できる。またスライド緩衝突起３８は緩衝部１２の一部として構成することができるため、部品点数を増加させずに「スライド抑制手段」を実現できる。さらにスライド緩衝突起３８は保持面部４６に露出するため、緩衝部材５２それ自体の大きさを大きくしたりする必要がなく、情報処理装置１の薄型化・小型化に適応することができる。そしてスライド緩衝突起３８が保持面部４６から突出するので、ＨＤＤ５の側端部６ａの通り道が狭くなり、スライド移動するＨＤＤ５は保持面部４６から突出するスライド緩衝突起３８に対して柔らかく接触してから狭くなった通り道を通過する。このためスライド移動するＨＤＤ５をさらに確実に減速させることができる。
【０１１１】
第１２実施形態〔図２１，図２２〕
【０１１２】
部材構造（図２１）：
本実施形態の緩衝部材５３は、摺動保持部２８の細部構成について第８実施形態の緩衝部材４５と異なり、残余の構成、製造方法は同一であるため重複説明を省略する。
本実施形態における摺動保持部２８には、側面支持部３０の奥側端部にその一部が屈曲して突出する「スライド抑制手段」としての硬質緩衝ばね片５４が形成されている。即ち保持面部４６の奥側端部に硬質緩衝ばね片５４が設けられている。
【０１１３】
作用・効果（図２２）：
ＨＤＤ５を非常に強く押し込んで急速にスライド移動させた場合、第８，第９実施形態ではＨＤＤ５の雄型コネクタ８のピン端子９が格納スロット４の中にある雌型コネクタ７に対して衝突し、その衝撃によってＨＤＤ５自体が故障して使用不能となったり、それらの端子が変形したり破損したりするおそれがある。
しかしながら本実施形態では摺動保持部２８の側面支持部３０から突出する硬質緩衝ばね片５４が、図２２で示すように作用する。すなわち、ＨＤＤ５が摺動保持部２８の保持面部４６を急速にスライド移動する場合でも、ＨＤＤ５のピン端子９が雌型コネクタ７と接触する前に、硬質緩衝ばね片５４が先ずＨＤＤ５の差込方向前端部に対して突き当たり、硬質緩衝ばね片５４が撓み変形することでＨＤＤ５の急速なスライド移動を減速させる。このとき、ＨＤＤ５のスライド移動が急激に停止することはなく、硬質緩衝ばね片５４が徐々に撓み変形しながら摺動抵抗が徐々に増加していき、この摺動抵抗はピン端子９が雌型コネクタ７に対して接続するまで続き、接続後もその状態が維持される。このようにしてＨＤＤ５の急速なスライド移動を減速させることができるので、雄型コネクタ８及びそのピン端子９が雌型コネクタ７及びそのピン端子と衝突し、その衝撃によってＨＤＤ５が故障して使用不能となったり、それらの端子が変形したり破損したりすることを防止できる。また硬質緩衝ばね片５４は摺動保持部２８の一部として構成することができるため、部品点数を増加させずに「スライド抑制手段」を実現できる。さらに硬質緩衝ばね片５４は保持面部４６に突設しているため、緩衝部材５３それ自体の大きさを大きくしたりする必要がなく、情報処理装置１の薄型化・小型化に適応することができる。
【０１１４】
第１３実施形態〔図２３、図２４〕
【０１１５】
部材構造（図２３、図２４）：
本実施形態の緩衝部材５５は、アース接続部材４２を備える点で第８実施形態の緩衝部材４５と異なり、残余の構成は同一であるため重複説明を省略する。
アース接続部材４２は例えば導電性を有する樹脂フィルムにより形成したものである。これを取付ける緩衝部１２の上面保持部１２ａと摺動保持部２８の上面支持部２９には、取付凹部４３，４４が形成されている。したがってアース接続部材４２は、一端と他端を取付凹部４３，４４に固定させることで取付けられる。その固定は例えば粘着テープ、粘着剤等を使用して行う。このようにして取付けたアース接続部材４２は、一端側が格納スロット４に対して接触する。他端側は保持面部４６に露出してＨＤＤ５の側端部６ａに対して接触する。これによってＨＤＤ５と格納スロット４との間に接地接続用の導電経路を形成することができる。
【０１１６】
作用・効果：
アース接続部材４２によってＨＤＤ５と格納スロット４との間に接地接続用の導電経路を形成することができることから、ＨＤＤ５に帯電する静電気を逃がすことができる。したがって静電気の帯電に起因するＨＤＤ５の誤動作の発生等を回避することができ、動作信頼性を改善することができる。
【０１１７】
各実施形態に共通の変形例
以上の各実施形態及び各変形例における特徴的な構成は、他の実施形態についても適用することができる。その一例としては、第１実施形態の緩衝部材１１における緩衝部１２の格納スロット４への差込方向前端部に、第４実施形態の緩衝部材３３の閉塞端部３４及び突き当て緩衝突起３５を形成することも可能である。これと同様に第２、第５〜第７実施形態の各緩衝部材２２，３６，３９，４１にも第４実施形態の緩衝部材３３の閉塞端部３４及び突き当て緩衝突起３５を形成できる。また、第１、第２、第４、第６、第７実施形態の各緩衝部材１１，２２，３３，３９，４１に第５実施形態の緩衝部材３６のスライド緩衝突起３８を形成することも可能である。第１、第２、第４、第５、第７実施形態の各緩衝部材１１，２２，３３，３６，４１に第６実施形態の緩衝部材３９の長溝４０を形成することも可能である。第１、第２、第４〜第６実施形態の各緩衝部材１１，２２，３３，３６，３９に第６実施形態の緩衝部材４１のアース接続部材４２を形成することも可能である。
さらに、第９、第１１〜第１３実施形態の各緩衝部材４７，５２，５３，５５に第１０実施形態の緩衝部材５０の固定突起５１を形成することも可能である。第９、第１０、第１２、第１３実施形態の各緩衝部材４７，５０，５３，５５に第１１実施形態の緩衝部材５２のスライド緩衝突起３８を形成することも可能である。第９、第１０、第１１、第１３実施形態の各緩衝部材４７，５０，５２，５５に第１２実施形態の緩衝部材５３の硬質緩衝ばね片５４を形成することも可能である。第９、第１０、第１１、第１２実施形態の各緩衝部材４７，５０，５２，５３に第１３実施形態の緩衝部材５５のアース接続部材４２を形成することも可能である。
【０１１８】
第８実施形態、第１０〜第１３実施形態の緩衝部材４５，５０，５２，５３，５５については、図１で示すＨＤＤ５における筐体６の側面６ｃネジ孔１０に、側面６ｃから突出するネジやピンのような筐体６の側端部としての係合突起を設けるようにし、他方、摺動保持部２８における側面支持部３０の内面にスライド方向に伸長し、ネジやピンによる係合突起の移動をガイドする長溝を形成することができる。このようにすれば、ＨＤＤ５のネジやピンによる係合突起を側面支持部３０の長溝に係合させてＨＤＤ５を押込むことができる。
【図面の簡単な説明】
【０１１９】
【図１】情報処理装置にＨＤＤを装着する際の説明図であり、分図（Ａ）はその外観斜視図、分図（Ｂ）はその側面図。
【図２】第１実施形態の緩衝部材をＨＤＤに装着する際の外観斜視図。
【図３】第１実施形態の緩衝部材をＨＤＤに装着し格納スロットに収納した取付構造を模式的に示す内部説明図。
【図４】第１実施形態における緩衝部材の変形例をＨＤＤに装着し格納スロットに収納した取付構造を模式的に示す拡大内部説明図。
【図５】第２実施形態の緩衝部材をＨＤＤに装着し格納スロットに収納した取付構造を模式的に示す内部説明図。
【図６】第３実施形態の緩衝部材をＨＤＤに装着し格納スロットに収納した取付構造を模式的に示す内部説明図。
【図７】第３実施形態における緩衝部材の変形例をＨＤＤに装着し格納スロットに収納した取付構造を模式的に示す拡大内部説明図。
【図８】第４実施形態の緩衝部材の説明図であり、分図（Ａ）はその外観斜視図、分図（Ｂ）はその縦断面図。
【図９】第４実施形態の緩衝部材をＨＤＤに装着し格納スロットに収納する際の説明図であり、分図（Ａ）はスライド移動を模式的に示す内部説明図、分図（Ｂ）は収納後の取付構造を模式的に示す内部説明図。
【図１０】第５実施形態の緩衝部材を示す外観斜視図。
【図１１】第５実施形態の緩衝部材をＨＤＤに装着し格納スロットに収納する際の説明図であり、分図（Ａ）はスライド移動を模式的に示す内部説明図、分図（Ｂ）は収納後の取付構造を模式的に示す内部説明図。
【図１２】第６実施形態の緩衝部材を示す外観斜視図。
【図１３】第７実施形態の緩衝部材を示す外観斜視図。
【図１４】第７実施形態の緩衝部材をＨＤＤに装着し格納スロットに収納した取付構造を模式的に示す内部説明図。
【図１５】第８実施形態の緩衝部材をＨＤＤに装着し格納スロットに収納した取付構造を模式的に示す内部説明図。
【図１６】分図（Ａ）は第９実施形態の緩衝部材をＨＤＤに装着し格納スロットに収納した取付構造を模式的に示す拡大内部説明図、分図（Ｂ）は第９実施形態における緩衝部材の第１変形例をＨＤＤに装着し格納スロットに収納した取付構造を模式的に示す拡大内部説明図。
【図１７】第９実施形態における緩衝部材の第２変形例を示す外観斜視図。
【図１８】第１０実施形態の緩衝部材を示す外観斜視図。
【図１９】第１１実施形態の緩衝部材を示す外観斜視図。
【図２０】第１１実施形態の緩衝部材をＨＤＤに装着し格納スロットに収納する際の説明図であり、分図（Ａ）はスライド移動を模式的に示す内部説明図、分図（Ｂ）は収納後の取付構造を模式的に示す内部説明図。
【図２１】第１２実施形態の緩衝部材を示す外観斜視図。
【図２２】第１２実施形態の緩衝部材をＨＤＤに装着し格納スロットに収納する際の説明図であり、分図（Ａ）はスライド移動を模式的に示す内部説明図、分図（Ｂ）は収納後の取付構造を模式的に示す内部説明図。
【図２３】第１３実施形態の緩衝部材を示す外観斜視図。
【図２４】第１３実施形態の緩衝部材をＨＤＤに装着し格納スロットに収納した取付構造を模式的に示す内部説明図。
【符号の説明】
【０１２０】
１    情報処理装置
２    筐体
３    開口
４    格納スロット
５    ＨＤＤ（外部記憶装置）
６    筐体
６ａ  側端部
６ｂ  上面
６ｃ  側面
６ｄ  底面
７    雌型コネクタ
８    雄型コネクタ
９    ピン端子
１０    ネジ孔
１１    緩衝部材（第１実施形態）
１２    緩衝部
１２ａ  上面保持部
１２ｂ  側面保持部
１２ｃ  底面保持部
１２ｄ  保持面部
１３    摺動保持部
１４    成形固着部
１５    係合溝（スライド受け部）
１６    係合突条（第１変形例）
１７    係合長溝（第１変形例）
１８    係合長溝（第２変形例）
１９    係合突条（第２変形例）
２０    係合突条（第３変形例）
２１    係合長溝（第３変形例）
２２    緩衝部材（第２実施形態）
２３    摺動保持部
２４    上面支持部
２５    底面支持部
２６    係合溝（スライド受け部）
２７    緩衝部材（第３実施形態）
２８    摺動保持部
２９    上面支持部
３０    側面支持部
３１    底面支持部
３２    係合長溝（スライド受け部）
３３    緩衝部材（第４実施形態）
３４    閉塞端部
３５    突き当て緩衝突起（スライド抑制手段）
３６    緩衝部材（第５実施形態）
３７    孔
３８    スライド緩衝突起（スライド抑制手段）
３８ａ  傾斜面
３９    緩衝部材（第６実施形態）
４０    長溝（溝状通気部、溝部）
４１    緩衝部材（第７実施形態）
４２    アース接続部材
４３    取付凹部
４４    取付凹部
４５    緩衝部材（第８実施形態）
４６    保持面部
４７    緩衝部材（第９実施形態）
４８    摺動保持部
４９    摺動保持部
５０    緩衝部材（第１０実施形態）
５１    固定突起
５２    緩衝部材（第１１実施形態）
５３    緩衝部材（第１２実施形態）
５４    硬質緩衝ばね片
５５    緩衝部材（第１３実施形態）
【図１】
2009223983.tif 000003
【図２】
2009223983.tif 000004
【図３】
2009223983.tif 000005
【図４】
2009223983.tif 000006
【図５】
2009223983.tif 000007
【図６】
2009223983.tif 000008
【図７】
2009223983.tif 000009
【図８】
2009223983.tif 000010
【図９】
2009223983.tif 000011
【図１０】
2009223983.tif 000012
【図１１】
2009223983.tif 000013
【図１２】
2009223983.tif 000014
【図１３】
2009223983.tif 000015
【図１４】
2009223983.tif 000016
【図１５】
2009223983.tif 000017
【図１６】
2009223983.tif 000018
【図１７】
2009223983.tif 000019
【図１８】
2009223983.tif 000020
【図１９】
2009223983.tif 000021
【図２０】
2009223983.tif 000022
【図２１】
2009223983.tif 000023
【図２２】
2009223983.tif 000024
【図２３】
2009223983.tif 000025
【図２４】
2009223983.tif 000026